(57)【特許請求の範囲】
【請求項１】
被清掃面に回転自在に接触する走行車輪を有する本体ケース内に、
被清掃面に非接触となるよう回転自在に収納された円柱状の回転吸着体と、
該回転吸着体にその外表面が接触し静電気が発生するよう並列に収納された多数の小径ブラシ片が放射状に形成された塵埃移動体と、
下面に幅広の吸込口が設けられると共に、該吸込口に対向し内部に前記回転吸着体が配置された静電気発生手段収納室と、
前記塵埃移動体に当接する櫛状の塵埃剥離体を有する集塵室と、
前記走行車輪の回転を駆動源として、前記回転吸着体乃至前記塵埃移動体をそれぞれ所定の回転数で回転させるギア等から成る伝達機構とを備え、
前記回転吸着体と前記塵埃移動体の回転接触時に、前記回転吸着体はマイナスに帯電し、前記塵埃移動体はプラスに帯電するように、前記回転吸着体はマイナス帯電素材、前記塵埃移動体はプラス帯電素材で、それぞれ構成したことを特徴とする清掃具。
【請求項２】
塵埃剥離体は、塵埃移動体より帯電列でマイナス側に帯電し易い素材で構成したことを特徴とする請求項１記載の清掃具。
【請求項３】
塵埃移動体は、被清掃面に回転接触させたことを特徴とする請求項１又は２記載の塵埃除去手段を備えた清掃具。
【請求項４】
空気中の塵埃を吸着させるフィルター状吸着体と、
該フィルター状吸着体の風上側に配置された本体ケース内に、
前記フィルター状吸着体にその外表面が接触し、清掃すると同時に静電気が発生するよう多数の小径ブラシ片が放射状に形成された塵埃移動体と、
幅広の開口部が設けられると共に、該開口部に対向し内部に前記塵埃移動体が配置された静電気発生手段収容室と、
前記塵埃移動体に当接する櫛状の塵埃剥離体を有する集塵室とを備え、
前記フィルター状吸着体と前記塵埃移動体の回転接触時に、前記フィルター状吸着体はマイナスに帯電し、前記塵埃移動体はプラスに帯電するように、前記フィルター状吸着体はマイナス帯電素材、前記塵埃移動体はプラス帯電素材で、それぞれ構成したことを特徴とするフィルター清掃具。
【発明の詳細な説明】
【技術分野】
【０００１】
本発明は、塵埃を静電吸着して捕集する清掃具の改良に関するものである。
【背景技術】
【０００２】
従来の静電気を活用して塵埃を吸着する清掃具としては、静電気を発生させる駆動手段が、それぞれ異なっており、電動機やファンを電気掃除機用吸込具に用いたもの（例えば、特許文献１参照）、電池を用いたもの（例えば、特許文献２参照）、床面に回転接触させるロールを用いたもの（例えば、特許文献３）等が、提案されていた。
【先行技術文献】
【特許文献】
【０００３】
【特許文献１】特開２００５−３０５１９４号公報
【特許文献２】特許第３２６１３４２号公報
【特許文献３】実開昭６２−６４４５９号公報
【発明の概要】
【発明が解決しようとする課題】
【０００４】
しかしながら、上記特許文献１に記載の電気掃除機用吸込具は、帯電順位の異なるブラシ群同士を回転接触させてマイナスイオンを発生させ、このマイナスイオンを塵埃に吸着させて、吸塵する方法であるが、前記ブラシ群を回転させるための駆動源として、ファンや電動機を用いているために、ファンの回転に伴う騒音や振動の発生、電動機による配線の複雑化等の他に、吸込具が大きくなるのと過重量に伴う操作性が低下する以外にも、必ず電源コードが必要であり、コンセントから遠い箇所での使用は不可等の課題が生じる。さらに、掃除機本体に内蔵された電動送風機による吸引風は、強力な為に、ブラシ群を通過する際に、ブラシ群に帯電した電荷を弱めて、塵埃の吸着性能を低下してしまう課題も生じる。また、上記特許文献２に記載の静電集塵機は、静電気を発生させる帯電手段及び放電手段等の電源として、充電池を用いているために、過重量になったり、充電作業の煩わしさ等の課題が生じる。また、上記特許文献３に記載の静電気式そうじ機は、床面にロールを回転接触させることで静電気を発生させており、前記特許文献１、２と異なり電源は不要であるが、床面に回転接触することで帯電されるロールは、床面の種類例えば、湿った床面や、敷居等に設けられた金属レール等により、アースとして放電されることも生じ、ロールへのゴミの吸着が出来ない等の課題が生じる。
【課題を解決するための手段】
【０００５】
上記従来の課題を解決する為に、請求項１の清掃具の発明は、被清掃面に回転自在に接触する走行車輪を有する本体ケース内に、被清掃面に非接触となるよう回転自在に収納された円柱状の回転吸着体と、該回転吸着体にその外表面が接触し静電気が発生するよう並列に収納された多数の小径ブラシ片が放射状に形成された塵埃移動体と、下面に幅広の吸込口が設けられると共に、該吸込口に対向し内部に前記回転吸着体が配置された静電気発生手段収納室と、前記塵埃移動体に当接する櫛状の塵埃剥離体を有する集塵室と、前記走行車輪の回転を駆動源として、前記回転吸着体乃至前記塵埃移動体をそれぞれ所定の回転数で回転させるギア等から成る伝達機構とを備え、前記回転吸着体と前記塵埃移動体の回転接触時に、前記回転吸着体はマイナスに帯電し、前記塵埃移動体はプラスに帯電するように、前記回転吸着体はマイナス帯電素材、前記塵埃移動体はプラス帯電素材で、それぞれ構成したことを特徴としている。
【０００６】
請求項２の発明は、塵埃剥離体を塵埃移動体より帯電列でマイナス側に帯電し易い素材で構成したことを特徴としている。請求項３の発明は、被清掃面に塵埃移動体を、回転接触させたことを特徴としている。
【０００７】
請求項４のフィルター清掃具の発明は、空気中の塵埃を吸着させるフィルター状吸着体と、該フィルター状吸着体の風上側に配置された本体ケース内に、前記フィルター状吸着体にその外表面が接触し、清掃すると同時に静電気が発生するよう多数の小径ブラシ片が放射状に形成された塵埃移動体と、幅広の開口部が設けられると共に、該開口部に対向し内部に前記塵埃移動体が配置された静電気発生手段収容室と、前記塵埃移動体に当接する櫛状の塵埃剥離体を有する集塵室とを備え、前記フィルター状吸着体と前記塵埃移動体の回転接触時に、前記フィルター状吸着体はマイナスに帯電し、前記塵埃移動体はプラスに帯電するように、前記フィルター状吸着体はマイナス帯電素材、前記塵埃移動体はプラス帯電素材で、それぞれ構成したことを特徴としている。
【発明の効果】
【０００８】
請求項１の発明では、回転吸着体と塵埃移動体を回転接触させる静電気発生手段の駆動源を、走行車輪の回転力を活用しており、電源が不要のため、特に使用環境を限定する必要がない。更に、床面から塵埃を静電吸着させる回転吸着体は、被清掃面とは非接触に形成されているので、被清掃面に回転吸着体に帯電している静電気がアースされることがなく、走行輪が回転できれば良いものである。さらに、回転吸着体は、塵埃と比較すると相対的にマイナスに帯電される素材で形成されているので、一般的な塵埃、例えば、紙屑や人毛、皮膚等は、回転吸着体よりも相対的にプラス側に帯電されやすいので、確実に吸着する事が可能となる。
【０００９】
請求項２の発明では、塵埃移動体より、マイナス側に帯電される素材から形成された櫛状の塵埃剥離体を集塵室に設けたことで、塵埃移動体に付着あるいはその近辺の浮遊塵埃は、確実に集塵室に収納することができる。請求項３の発明では、被清掃面に塵埃移動体を、回転接触させているので、被清掃面の塵埃は、その回転力で強制的に掃き上げられて、回転吸着体に静電吸着させることができるので、比較的重量のある塵埃も、確実に清掃が可能となる。
【００１０】
請求項４の発明では、マイナス帯電素材のフィルター状吸着体と、プラス帯電素材の塵埃移動体を回転接触させているので、空気中の塵埃は、静電気により、フィルター状吸着体の外表面に静電吸着されると共に、塵埃移動体の回転力により、除去することができる。また、塵埃剥離体により、強制移動あるいは、静電移動して、塵埃収納室に落下収納できる。
【図面の簡単な説明】
【００１１】
【図１】本発明に関わる清掃具の斜視図である。
【図２】本発明に関わる清掃具の底面斜視図である。
【図３】本発明に関わる清掃具の中央縦断面図である。
【図４】図３におけるＸＸ断面図である。
【図５】本発明に関わる塵埃剥離体の斜視図である。
【図６】本発明に関わる他の実施例１であり、静電気発生手段の構成図である。
【図７】本発明に関わる他の実施例２であり、静電気発生手段の構成図である。
【図８】図７の静電気発生手段を有する清掃具を搭載した空気調和機の構成図である。
【発明を実施するための形態】
【００１２】
以下に、本発明の一実施の形態の清掃具の構成を、図1乃至図５を用いて説明する。
Ｚは、被清掃面である。
【００１３】
清掃具１は、上面に操作用の取っ手２と、下面の前方と後方の両側に前車輪３と後車輪４からなる走行車輪５と、後方に着脱自在に取り付けられた集塵室６とを設けた直方体状の本体ケース７より構成されている。本体ケース７の下面前方には幅広の吸込口８を有する静電気発生手段収納室９が形成されていて、該静電気発生手段収納室９には、吸込口８に対向し、被清掃面Ｚには非接触と成るよう両端を回転自在に支持された、帯電列でマイナスに帯電されやすい素材、例えば塩化ビニールやポリエチレンあるいはポリプロピレン等のプラスチックより円柱状に形成された回転吸着体１０と、該回転吸着体１０より後方で並列に、かつ、その先端部が回転吸着体１０に接触するよう両端部を回転自在に支持された、帯電列でプラスに帯電されやすい素材、例えばレーヨンやナイロン等のプラスチックよりなる小径で、所定長を有する多数の小径ブラシ片１１が放射状に形成された塵埃移動体１２が、収納されている。なお、回転吸着体１０と塵埃移動体１２の接触回転状態を、静電気発生手段１３とする。なお、回転吸着体１０と塵埃移動体１２の素材選定は、それぞれ必要に応じて自在に選定すれば良いものであるが、より静電気を発生しやすくするためには、帯電列において、前記プラスとマイナスの素材は、できるだけ離れた素材を選定することが、望ましい。
【００１４】
走行車輪５を構成する前車輪３の一部には、その回転力を回転吸着体１０と塵埃移動体１２に、それぞれ所定の回転数で回転するよう伝達する複数のギア等から成る伝達機構１４が、本体ケース７に収納されている。なお、回転吸着体１０と塵埃移動体１２のそれぞれの回転数は、同じでも異なっても良いが、静電気発生効率を考慮すると、できれば、回転吸着体１０より塵埃移動体１２の方を高回転とするのが望ましい。また、図中の矢印Ｈは、回転方向を示す。
【００１５】
集塵室６は、内部が見えるよう少なくともその上面側が透明材で構成されており、その内部には、先端部が傾斜した櫛状の塵埃剥離体１５が塵埃移動体１２に接触するよう設けられている。塵埃剥離体１５は、塵埃移動体１２より、帯電列でマイナス側に帯電し易い素材、例えばアルミニュームや鉄、あるいは塩化ビニールやポリエチレンあるいはポリプロピレン等のプラスチックで構成する。勿論、素材の選定は、必要に応じて行えばよい。なお、塵埃剥離体１５の後方には、塵埃移動体１２に絡みついた塵埃を収納する塵埃収納室１６が形成されている。また、集塵室６の前側は、塵埃移動体１２を覆うよう形成されており、塵埃移動体１２から、衝撃等により落下したような塵埃をも収納することができる。なお、塵埃剥離体１５は、多数の小径ブラシ片から構成しても良いものである。
【００１６】
この発明は、以上のように構成されており、清掃時において、清掃具１を被清掃面Ｚ上に載置して、取っ手２を持ち、本体ケース７を走行させると、走行車輪５が回転し、回転吸着体１０と塵埃移動体１２は、伝達機構１４により、所定の回転数と回転方向に回転を開始する。この時に、回転吸着体１０と塵埃移動体１２は、接触状態で回転するので、回転吸着体１０はマイナスに、塵埃移動体１２はプラスにそれぞれ帯電する。これにより、被清掃面Ｚ上の塵埃は、吸込口８を通過して、静電気により、回転吸着体１０の外表面に、静電吸着される。静電吸着された塵埃は、塵埃移動体１２の回転力により、塵埃移動体１２に強制的に移動乃至静電気発生手段収納室９の後方に飛散させられる。多数の小径ブラシ片１１間に付着した塵埃は、先端部が傾斜した櫛状の塵埃剥離体１５により、強制移動あるいは、静電移動して、塵埃収納室１６に落下収納される。また、浮遊している塵埃も、マイナスに帯電している塵埃剥離体１５に静電吸着され、塵埃収納室１６に収納される。このような清掃動作を、長期間繰り返すと、塵埃収納室１６は塵埃で、一杯になるが、集塵室６を透明材で構成しているので、使用者に分かりやすく、集塵室６を本体ケース７から外し、処理すれば良い。
【００１７】
図６は、本発明の他の実施例１を示し、吸込口８に対向して、回転吸着体１０と塵埃移動体１２１の接触回転状態からなる静電気発生手段１３1を設ける。この時に、塵埃移動体１２１のみ、被清掃面Ｚに接触するように形成する。この状態で、清掃具１を走行させると、塵埃移動体１２１は、被清掃面Ｚと、回転吸着体１０に回転接触する。これにより、回転吸着体１０は、マイナスに帯電し、比較的軽量な塵埃を静電吸着する。比較的、重い塵埃は、塵埃移動体１２１の回転力で、掃き上げられて前方で上方に配置されている回転吸着体１０に強制吸着させられる。その後の塵埃は、前記の本発明と同じく、塵埃移動体１２１を介して、塵埃収納室１６に収納される。このように、塵埃移動体１２１を被清掃面Ｚに回転接触させることで、重量のある塵埃も、清掃できる効果を奏するものである。
【００１８】
なお、本発明の主旨を逸脱しない範囲で、さまざまな実施の形態をとることができるものである。
【００１９】
図７及び図８は、本発明の他の実施例２を示し、空気調和機４１のフィルター状吸着体２２の表面に、空気中の塵埃を吸着させると共に、吸着させた塵埃を剥離除去させる為の清掃具２１が、空気調和機４１内に搭載されてある。フィルター状吸着体２２の近傍には、集塵室３６を有する直方体状の本体ケース１７が形成されている。フィルター状吸着体２２は、帯電列でマイナスに帯電されやすい素材、例えば塩化ビニールやポリエチレンあるいはポリプロピレン等の材質により形成されてある。本実施例においては、フィルター状吸着体２２は、プレフィルターが形成されてある。また、本体ケース１７内には、開口１８を有する静電気発生手段収納室１９が形成されていて、該静電気発生手段収納室１９には、該フィルター状吸着体２２にたいして、その先端部がフィルター状吸着体２２に接触するよう両端部を回転自在に支持された、帯電列でプラスに帯電されやすい素材、例えばレーヨンやナイロン等のプラスチックよりなる小径で、所定長を有する多数の小径ブラシ片３１が放射状に形成された塵埃移動体１２２が、収納されている。なお、フィルター状吸着体２２と塵埃移動体１２２の接触回転状態を、静電気発生手段１３２とする。
【００２０】
また、本体ケース１７内には、先端部が傾斜した櫛状の塵埃剥離体１５５が塵埃移動体１２２に接触するよう設けられている。塵埃剥離体１５５は、塵埃移動体１２２より、帯電列でマイナス側に帯電し易い素材、例えばアルミニュームや鉄、あるいは塩化ビニールやポリエチレンあるいはポリプロピレン等のプラスチックで構成する。なお、塵埃剥離体１５５の前方には、塵埃移動体１２２に絡みついた塵埃を収納する塵埃収納室２６が形成されている。なお、塵埃剥離体１５５は、多数の小径ブラシ片から構成しても良いものである。
【００２１】
本発明の他の実施例２は、以上のように構成されており、フィルター状吸着体２２の清掃時において、フィルター状吸着体２２を回転させ、フィルター状吸着体２２にたいして、本体ケース１７内の塵埃移動体１２２を回転接触させると、フィルター状吸着体２２と塵埃移動体１２２は、接触状態で回転するので、フィルター状吸着体２２はマイナスに、塵埃移動体１２２はプラスにそれぞれ帯電する。これにより、空気中の塵埃はファン２４により発生する吸引風２３により、フィルター状吸着体２２の上流側の外表面に運ばれ、静電気により、フィルター状吸着体２２の外表面に、静電吸着される。静電吸着された塵埃は、塵埃移動体１２２の回転力により、強制的に静電気発生手段収納室１９内に移動させられる。多数の小径ブラシ片３１間に付着した塵埃は、先端部が傾斜した櫛状の塵埃剥離体１５５により、強制移動あるいは、静電移動して、塵埃収納室２６に落下収納される。また、浮遊している塵埃も、マイナスに帯電している塵埃剥離体１５５に静電吸着され、塵埃収納室２６に収納される。なお、フィルター状吸着体２２は、前記の如く、回転させる形態以外にも、往復移動させる構成や、フィルター状吸着体２２にたいして、塵埃移動体１２２を相対的に移動させる形態等、適宜、設定できる。また、集塵室３６は、本体ケース１７から着脱自在にできるような構成も採用できる。
【産業上の利用可能性】
【００２２】
本発明は、走行車輪により静電気を発生させ、この静電気を利用して被清掃面上の塵埃を清掃するのでの清掃具として、広く好適に使用することができる。
【符号の説明】
【００２３】
１、２１  清掃具
２  取っ手
３  前車輪
４  後車輪
５  走行車輪
６、３６  集塵室
７、１７  本体ケース
８  吸込口
９、１９  静電気発生手段収納室
１０  回転吸着体
１１、３１  小径ブラシ片
１２、１２１、１２２  塵埃移動体
１３、１３１、１３２  静電気発生手段
１４  伝達機構
１５、１５５  塵埃剥離体
１６、２６  塵埃収納室
１８  開口
２２  フィルター状吸着体
２３  吸引風
２４  ファン
４１  空気調和機
Ｈ  回転方向
Ｚ  被清掃面
【図１】
0006485851.tif 000002
【図２】
0006485851.tif 000003
【図３】
0006485851.tif 000004
【図４】
0006485851.tif 000005
【図５】
0006485851.tif 000006
【図６】
0006485851.tif 000007
【図７】
0006485851.tif 000008
【図８】
0006485851.tif 000009